(57)【要約】【課題】被検体内情報の取得が十分可能な速度で被検体内を移動するカプセル型内視鏡等の被検体内導入装置を実現する。【解決手段】カプセル型内視鏡の内部に、吸引動作発生部２０と、吸引動作発生部２０の作用によって形状が変動する軟性チューブ部材３４とを備える。吸引動作発生部２０は、回転軸３５に対して偏心した状態で配置されたカム部材３６と、カム部材３６に回転トルクを供給する駆動機構３７とを有し、カム部材３６が回転動作に伴って軟性チューブ部材３４は蠕動運動を行うよう形状が変動する。軟性チューブ部材３４の両端は外装ケース部材３１に形成された吸引側開口部３２および排出側開口部３３と接続され、蠕動運動にともなって外部流体が吸引側開口部３２を介して吸引されることによって、カプセル型内視鏡は通過経路の内壁に吸着し、移動速度が低下する。【選択図】        図１
2006026205.tif 000002
【特許請求の範囲】
【請求項１】
被検体内に導入され、被検体の内部において被検体内情報を取得する被検体内導入装置であって、
前記被検体内情報を取得する被検体内情報取得手段と、
前記被検体内の通過経路の内壁に対して所定の強度で吸着する吸着機構と、
前記被検体内情報取得手段および前記吸着機構を内蔵する外装ケース部材と、
を備えたことを特徴とする被検体内導入装置。
【請求項２】
前記外装ケース部材は、一部領域上に吸引側開口部が形成され、
前記吸着機構は、前記吸引側開口部を介して前記吸引側開口部近傍に位置する外部流体を吸引することによって、当該当該被検体内導入装置を吸着させることを特徴とする請求項１に記載の被検体内導入装置。
【請求項３】
前記外装ケース部材は、吸引側開口部が形成された領域と別の領域に排出側開口部が形成され、
前記吸着機構は、
前記吸引側開口部と前記排出側開口部とを接続する軟性チューブ部材と、
前記外部流体が前記吸引側開口部を介して吸引され、前記軟性チューブ部材を経由して前記排出側開口部から排出されるよう前記軟性チューブ部材の形状を変動させる吸引動作発生手段と、
を備えたことを特徴とする請求項２に記載の被検体内導入装置。
【請求項４】
前記吸引動作発生手段は、
所定の軸を中心に回転し、該回転動作によって前記軟性チューブが蠕動運動するよう前記軟性チューブ部材の形状を変動させるカム部材と、
前記カム部材に回転トルクを供給する駆動機構と、
を備えたことを特徴とする請求項３に記載の被検体内導入装置。
【請求項５】
前記軟性チューブ部材は、前記吸引側開口部近傍および前記排出側開口部近傍にそれぞれ逆止弁が形成され、
前記吸引動作発生手段は、それぞれの前記軟性チューブ部材の中空領域であって、前記逆止弁間の領域の容積が増減するよう前記軟性チューブの形状を変動させることを特徴とする請求項３に記載の被検体内導入装置。
【請求項６】
前記軟性チューブ部材中空領域の前記吸引側開口部近傍における前記流体の圧力を検出する圧力検出手段と、
前記圧力検出手段の検出結果が所定値に維持されるよう、前記吸引動作発生手段の駆動状態を制御する制御手段と、
をさらに備えたことを特徴とする請求項３〜５のいずれか一つに記載の被検体内導入装置。
【請求項７】
被検体内に導入され、該被検体内を移動しつつ被検体内情報を取得する被検体内導入装置であって、
前記被検体内情報を取得する被検体内情報取得手段と、
前記被検体内情報取得手段を内蔵し、一部領域上に吸引側開口部が形成され、他の領域上に排出側開口部が形成された外装ケース部材と、
前記吸引側開口部と前記排出側開口部とを接続する軟性チューブ部材と、
前記軟性チューブ部材の形状を変動させることによって、前記外部流体を前記吸引側開口部を介して吸引すると共に前記軟性チューブ部材を経由して前記排出側開口部から排出し、吸引動作および排出動作の反作用力によって当該被検体内導入装置の位置または指向方向の少なくとも一方を変化させる変位動作発生手段と、
を備えたことを特徴とする被検体内導入装置。
【請求項８】
被検体内に導入され、該被検体内を移動しつつ被検体内情報を取得し、取得した被検体内情報を含む無線信号を送信する被検体内導入装置と、受信アンテナを介して前記被検体内導入装置から送信された無線信号を受信する外部装置とを備えた被検体内導入システムであって、
前記被検体内導入装置は、
前記被検体内情報を取得する被検体内情報取得手段と、
前記被検体内情報を含む無線信号を送信する無線手段と、
前記被検体内情報取得手段および前記無線手段を内蔵する外装ケース部材と、
前記被検体内の通過経路の内壁に対して所定の強度で吸着する吸着機構と、
を備え、
前記外部装置は、
受信アンテナを介して受信した無線信号の受信処理を行う受信回路と、
前記受信回路から出力された信号に所定の処理を行うことによって被検体内情報を抽出する信号処理手段と、
を備えたことを特徴とする被検体内導入システム。
【請求項９】
前記被検体内導入装置は、
前記外装ケース部材上の一部領域に吸引側開口部が形成されると共に他の領域に排出側開口部が形成され、
前記吸引側開口部と前記排出側開口部とを接続する軟性チューブ部材と、
前記外部流体が前記吸引側開口部を介して吸引され、前記軟性チューブ部材を経由して前記排出側開口部から排出されるよう前記軟性チューブ部材の形状を変動させる吸引動作発生手段と、
所定の制御信号によって定まる値となるよう前記吸引動作発生手段の駆動状態を制御する制御手段と、
をさらに備えたことを特徴とする請求項８に記載の被検体内導入システム。
【請求項１０】
前記外部装置は、
前記制御信号を生成する制御信号生成手段と、
前記制御信号生成手段によって生成された制御信号を無線送信する送信手段と、
をさらに備え、
前記被検体内導入装置は、
前記送信手段から送信された無線信号を受信する受信手段と、
前記受信手段によって受信された無線信号から制御信号を抽出する信号処理手段と、
をさらに備え、
前記制御手段において、前記制御信号に基づく制御を行うことを特徴とする請求項９に記載の被検体内導入システム。
【発明の詳細な説明】
【技術分野】
【０００１】
本発明は、被検体内に導入され、該被検体内を移動する被検体内導入装置および被検体内導入装置を用いた被検体内導入システムに関するものである。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、例えば胃、小腸などの臓器の内部をその蠕動運動に従って移動し、移動に伴い、例えば０．５秒間隔で被検体内画像の撮像を行う機能を有する。
【０００３】
体腔内を移動する間、カプセル型内視鏡によって体内で撮像された画像データは、順次無線通信により外部に送信され、外部に設けられたメモリに蓄積される。無線通信機能とメモリ機能とを備えた受信機を携帯することにより、被検体は、カプセル型内視鏡を飲み込んだ後、排出されるまでの間に渡って、自由に行動できる。カプセル型内視鏡が排出された後、医者もしくは看護士においては、メモリに蓄積された画像データに基づいて臓器の画像をディスプレイに表示させて診断を行うことができる（例えば、特許文献１参照。）。
【０００４】
【特許文献１】特開２００３−１９１１１号公報
【発明の開示】
【発明が解決しようとする課題】
【０００５】
しかしながら、従来のカプセル型内視鏡システムでは、食道等のようにカプセル型内視鏡の通過速度の高い領域では被検体内画像等の被検体内情報を充分に取得することができないと言う課題がある。かかる課題について、以下に説明する。
【０００６】
例えば被検体が直立した状態を維持する場合には、食道は鉛直方向に延伸した状態で口腔と胃とを接続しており、被検体に導入されたカプセル型内視鏡は、口腔を通過後に自由落下と同様の状態で胃まで到達することとなる。食道の全長が３０ｃｍ程度であることに鑑みると、カプセル型内視鏡は１秒程度で食道を通過することとなり、上記のように０．５秒間隔程度の撮像レートでは、充分な被検体内情報を取得することは容易ではない。
【０００７】
これに対して、例えばカプセル型内視鏡が被検体内画像を撮像する機能を有する場合、撮像レートを向上させることによって充分な被検体内情報を取得することも考えられる。しかしながら、かかる構成を採用した場合には、高速動作に伴う消費電力の増加等の新たな問題が生じることから、少なくとも現時点においては撮像レートを向上させることは好ましくない。
【０００８】
このため、食道等の領域においても許容しうる程度の速度で移動するカプセル型内視鏡が必要となるが、かかるカプセル型内視鏡は、少なくとも公知技術の範囲では未だ提案されていないのが現状である。
【０００９】
本発明は、上記に鑑みてなされたものであって、被検体内情報の取得が十分可能な速度で被検体内を移動するカプセル型内視鏡等の被検体内導入装置を実現することを目的とする。
【課題を解決するための手段】
【００１０】
上述した課題を解決し、目的を達成するために、請求項１にかかる被検体内導入装置は、被検体内に導入され、被検体の内部において被検体内情報を取得する被検体内導入装置であって、前記被検体内情報を取得する被検体内情報取得手段と、前記被検体内の通過経路の内壁に対して所定の強度で吸着する吸着機構と、前記被検体内情報取得手段および前記吸着機構を内蔵する外装ケース部材とを備えたことを特徴とする。
【００１１】
この請求項１の発明によれば、所定の強度で吸着する吸着機構を備えることとしたため、通過経路の内壁に対して所定の強度で吸着することによって、被検体内における被検体内導入装置の移動速度を低下させることが可能となる。
【００１２】
また、請求項２にかかる被検体内導入装置は、上記の発明において、前記外装ケース部材は、一部領域上に吸引側開口部が形成され、前記吸着機構は、前記吸引側開口部を介して前記吸引側開口部近傍に位置する外部流体を吸引することによって、当該当該被検体内導入装置を吸着させることを特徴とする。
【００１３】
また、請求項３にかかる被検体内導入装置は、上記の発明において、前記外装ケース部材は、吸引側開口部が形成された領域と別の領域に排出側開口部が形成され、前記吸着機構は、前記吸引側開口部と前記排出側開口部とを接続する軟性チューブ部材と、前記外部流体が前記吸引側開口部を介して吸引され、前記軟性チューブ部材を経由して前記排出側開口部から排出されるよう前記軟性チューブ部材の形状を変動させる吸引動作発生手段とを備えたことを特徴とする。
【００１４】
また、請求項４にかかる被検体内導入装置は、上記の発明において、前記吸引動作発生手段は、所定の軸を中心に回転し、該回転動作によって前記軟性チューブが蠕動運動するよう前記軟性チューブ部材の形状を変動させるカム部材と、前記カム部材に回転トルクを供給する駆動機構とを備えたことを特徴とする。
【００１５】
また、請求項５にかかる被検体内導入装置は、上記の発明において、前記軟性チューブ部材は、前記吸引側開口部近傍および前記排出側開口部近傍にそれぞれ逆止弁が形成され、前記吸引動作発生手段は、それぞれの前記軟性チューブ部材の中空領域であって、前記逆止弁間の領域の容積が増減するよう前記軟性チューブの形状を変動させることを特徴とする。
【００１６】
また、請求項６にかかる被検体内導入装置は、上記の発明において、前記軟性チューブ部材中空領域の前記吸引側開口部近傍における前記流体の圧力を検出する圧力検出手段と、前記圧力検出手段の検出結果が所定値に維持されるよう、前記吸引動作発生手段の駆動状態を制御する制御手段とをさらに備えたことを特徴とする。
【００１７】
また、請求項７にかかる被検体内導入装置は、被検体内に導入され、該被検体内を移動しつつ被検体内情報を取得する被検体内導入装置であって、前記被検体内情報を取得する被検体内情報取得手段と、前記被検体内情報取得手段を内蔵し、一部領域上に吸引側開口部が形成され、他の領域上に排出側開口部が形成された外装ケース部材と、前記吸引側開口部と前記排出側開口部とを接続する軟性チューブ部材と、前記軟性チューブ部材の形状を変動させることによって、前記外部流体を前記吸引側開口部を介して吸引すると共に前記軟性チューブ部材を経由して前記排出側開口部から排出し、吸引動作および排出動作の反作用力によって当該被検体内導入装置の位置または指向方向の少なくとも一方を変化させる変位動作発生手段とを備えたことを特徴とする。
【００１８】
また、請求項８にかかる被検体内導入システムは、被検体内に導入され、該被検体内を移動しつつ被検体内情報を取得し、取得した被検体内情報を含む無線信号を送信する被検体内導入装置と、受信アンテナを介して前記被検体内導入装置から送信された無線信号を受信する外部装置とを備えた被検体内導入システムであって、前記被検体内導入装置は、前記被検体内情報を取得する被検体内情報取得手段と、前記被検体内情報を含む無線信号を送信する無線手段と、前記被検体内情報取得手段および前記無線手段を内蔵する外装ケース部材と、前記被検体内の通過経路の内壁に対して所定の強度で吸着する吸着機構と、を備え、前記外部装置は、受信アンテナを介して受信した無線信号の受信処理を行う受信回路と、前記受信回路から出力された信号に所定の処理を行うことによって被検体内情報を抽出する信号処理手段とを備えたことを特徴とする。
【００１９】
また、請求項９にかかる被検体内導入システムは、上記の発明において、前記被検体内導入装置は、前記外装ケース部材上の一部領域に吸引側開口部が形成されると共に他の領域に排出側開口部が形成され、前記吸引側開口部と前記排出側開口部とを接続する軟性チューブ部材と、前記外部流体が前記吸引側開口部を介して吸引され、前記軟性チューブ部材を経由して前記排出側開口部から排出されるよう前記軟性チューブ部材の形状を変動させる吸引動作発生手段と、所定の制御信号によって定まる値となるよう前記吸引動作発生手段の駆動状態を制御する制御手段とをさらに備えたことを特徴とする。
【００２０】
また、請求項１０にかかる被検体内導入システムは、上記の発明において、前記外部装置は、前記制御信号を生成する制御信号生成手段と、前記制御信号生成手段によって生成された制御信号を無線送信する送信手段とをさらに備え、前記被検体内導入装置は、前記送信手段から送信された無線信号を受信する受信手段と、前記受信手段によって受信された無線信号から制御信号を抽出する信号処理手段とをさらに備え、前記制御手段において、前記制御信号に基づく制御を行うことを特徴とする。
【発明の効果】
【００２１】
本発明にかかる被検体内導入装置および被検体内導入システムは、所定の強度で吸着する吸着機構を備えることとしたため、通過経路の内壁に対して所定の強度で吸着することによって、被検体内における被検体内導入装置の移動速度を低下させることが可能となるという効果を奏する。
【発明を実施するための最良の形態】
【００２２】
以下、この発明を実施するための最良の形態である被検体内導入装置および被検体内導入システムについて説明する。なお、図面は模式的なものであり、各部分の厚みと幅との関係、それぞれの部分の厚みの比率などは現実のものとは異なることに留意すべきであり、図面の相互間においても互いの寸法の関係や比率が異なる部分が含まれていることはもちろんである。
【００２３】
（実施の形態１）
まず、実施の形態１にかかる被検体内導入システムについて説明する。図１は、本実施の形態１にかかる被検体内導入システムの全体構成を示す模式図である。図１に示すように、本実施の形態１にかかる被検体内導入システムは、被検体１の内部に導入されて通過経路に沿って移動するカプセル型内視鏡２と、カプセル型内視鏡２から送信された、被検体内情報を含む無線信号を受信する外部装置３と、外部装置３によって受信された無線信号に含まれる被検体内情報の内容を表示する表示装置４と、外部装置３と表示装置４との間の情報の受け渡しを行うための携帯型記録媒体５とを備える。
【００２４】
表示装置４は、外部装置３によって受信された、カプセル型内視鏡２によって撮像された被検体内画像等を表示するためのものであり、携帯型記録媒体５によって得られるデータに基づいて画像表示を行うワークステーション等のような構成を有する。具体的には、表示装置４は、ＣＲＴディスプレイ、液晶ディスプレイ等によって直接画像等を表示する構成としても良いし、プリンタ等のように、他の媒体に画像等を出力する構成としても良い。
【００２５】
携帯型記録媒体５は、外部装置３および表示装置４に対して着脱可能であって、両者に対する装着時に情報の出力および記録が可能な構造を有する。具体的には、携帯型記録媒体５は、カプセル型内視鏡２が被検体１の体腔内を移動している間は外部装置３に装着されて被検体内画像等を記憶する。そして、カプセル型内視鏡２が被検体１から排出された後に、外部装置３から取り出されて表示装置４に装着され、記録したデータが表示装置４によって読み出される構成を有する。外部装置３と表示装置４との間のデータの受け渡しをコンパクトフラッシュ（登録商標）メモリ等の携帯型記録媒体５によって行うことで、外部装置３と表示装置４との間が有線接続された場合と異なり、カプセル型内視鏡２が被検体１内部を移動中であっても、被検体１が自由に行動することが可能となる。
【００２６】
受信アンテナ６ａ〜６ｈは、例えばループアンテナを用いて形成される。かかるループアンテナは、被検体１の体表面上の所定の位置に固定されていることが好ましく、ループアンテナには体表面上に固定するための固定部材が固着されている。
【００２７】
外部装置３は、受信アンテナ６ａ〜６ｈのいずれかを介して受信された無線信号の受信処理を行うためのものである。図２は、外部装置３の構成を示すブロック図である。図２に示すように、外部装置３は、複数存在する受信アンテナ６ａ〜６ｈの中から無線信号の受信に適したものを選択するアンテナ選択部９と、アンテナ選択部９によって選択された受信アンテナ６を介して受信された無線信号に対して復調等の処理を行う受信回路１０と、処理が施された無線信号に対して検出磁場に関する情報および被検体内画像等を抽出するための信号処理部１１とを備える。また、外部装置３は、抽出された情報の出力等に関して所定の制御を行う制御部１２と、抽出した情報を記憶する記憶部１３と、受信回路１０から出力された、受信した無線信号の強度に対応したアナログ信号をＡ／Ｄ変換するＡ／Ｄ変換部１４と、各構成要素の駆動電力を供給する電力供給部１５とを備える。
【００２８】
アンテナ選択部９は、複数備わる受信アンテナ６ａ〜６ｈの中から無線信号の受信に適したアンテナを選択するためのものである。具体的には、アンテナ選択部９は、制御部１２の制御に基づいて所定の受信アンテナ６を選択し、選択した受信アンテナ６を介して受信された無線信号を受信回路１０に対して出力する機能を有する。
【００２９】
受信回路１０は、選択された受信アンテナ６を介して受信された無線信号に対して、復調等の所定の処理を行うためのものである。また、受信回路１０は、無線信号の強度に対応したアナログ信号をＡ／Ｄ変換部１４に対して出力する機能を有する。
【００３０】
信号処理部１１は、受信回路１０によって所定の処理が施された信号の中から所定の情報を抽出するためのものである。例えば、外部装置３によって受信される無線信号が撮像機能を有する電子機器から送信される場合には、信号処理部１１は、受信回路１０から出力された信号の中から画像データを抽出している。
【００３１】
制御部１２は、アンテナ選択部９によるアンテナ選択動作を含む全体的な制御を行うためのものである。具体的には、制御部１２は、信号処理部１１から出力された情報を記憶部１３に転送して記憶させると共に、Ａ／Ｄ変換部１４から出力された、受信強度に対応したディジタル信号（例えば、ＲＳＳＩ(Received Signal Strength Indicator  :受信信号強度表示信号)）に基づいて、使用する受信アンテナ６を決定し、アンテナ選択部９に対して指示する機能を有する。
【００３２】
記憶部１３は、信号処理部１１によって抽出された情報を記憶するためのものである。記憶部１３の具体的構成としては、メモリ等を備えることによって記憶部１３自体が情報を記憶することとしても良いが、本実施の形態１では、後述するように記憶部１３は、携帯型記録媒体５に対して情報を書き込む機能を有することとする。
【００３３】
次に、カプセル型内視鏡２について説明する。カプセル型内視鏡２は、特許請求の範囲における被検体内導入装置の一例として機能するものであって、被検体内情報を取得し、取得した被検体内情報を含む無線信号を外部装置３に対して送信する機能を有する。
【００３４】
図３は、カプセル型内視鏡２の構成要素について模式的に示すブロック図である。図３に示すように、カプセル型内視鏡２は、被検体内情報を取得する被検体内情報取得部１７と、取得された被検体内情報を含む無線信号を生成し、外部装置３に対して送信する無線部１８と、吸着機構１９と、被検体内情報取得部１７等の駆動状態を制御する制御部２１と、被検体内情報取得部１７等の構成要素に対して駆動電力を供給する電力供給部２２とを備える。
【００３５】
被検体内情報取得部１７は、被検体内部の情報を取得するためのものであって、本実施の形態１においては、被検体内画像を取得するためのものである。具体的には、被検体内情報取得部１７は、被検体内部を照射する照明光を出力するＬＥＤ（Light Emitting Diode）２４と、ＬＥＤ２４の駆動状態を制御するＬＥＤ駆動回路２５と、ＬＥＤ２４によって照射された領域の少なくとも一部を撮像する撮像手段として機能するＣＣＤ（Charge Coupled Device）２６と、ＣＣＤ２６の駆動状態を制御するＣＣＤ駆動回路２７とを備える。ＣＣＤ２６によって取得された被検体内画像データは、無線部１８に出力される。
【００３６】
無線部１８は、被検体内情報取得部１７から出力された被検体内情報を含む無線信号の生成・送信を行うためのものである。具体的には、無線部１８は、送信回路２８と、送信アンテナ２９とによって構成されており、送信回路２８によって無線信号が生成され、送信アンテナ２９を介して無線信号の送信が行われる。
【００３７】
次に、吸着機構１９について説明する。吸着機構１９は、外装ケース部材に対して固定された状態で配置されると共に通過経路に対応した消化器官の内壁に吸着する機能を有し、かかる吸着機能によってカプセル型内視鏡２の移動速度を低減するためのものである。
【００３８】
図４は、吸着機構１９の具体的な構造を示す模式図である。図４に示すように、吸着機構１９は、外装ケース部材３１の一部領域上に形成された吸引側開口部３２部と、他の領域上に形成された排出側開口部３３とを接続するよう配置された軟性チューブ部材３４と、軟性チューブ部材３４近傍に配置され、軟性チューブ部材３４の形状を変動させることによって吸引動作を発生させる吸引動作発生部２０と、軟性チューブ部材３４の中空領域の所定領域における圧力を検出する圧力検出部３８とを備える。ここで、外装ケース部材３１は、図３に示した各構成要素を内蔵するためのものであり、各構成要素を外部から保護するために必要な物理強度を有ずる材料によって形成されている。
【００３９】
軟性チューブ部材３４は、吸引側開口部３２と排出側開口部３３とを接続し、後述するようにカム部材３６の作用によって外部流体を吸引側開口部３２から吸引し、排出側開口部３３から排出するためのものである。具体的には、軟性チューブ部材３４は、吸引側開口部３２と排出側開口部３３とを連通する中空領域を有し、カム部材３６の作用によって形状が容易に変化する軟性材料、例えばゴム材料によって形成されている。
【００４０】
吸引動作発生部２０は、軟性チューブ部材３４を用いて吸引動作を発生させるためのものである。具体的には、吸引動作発生部２０は、所定の回転軸３５を軸として回転するカム部材３６と、カム部材３６に対して回転トルクを供給する駆動機構３７とを備える。
【００４１】
カム部材３６は、回転軸３５を軸として回転することによって軟性チューブ部材３４に対して変形力を及ぼし、軟性チューブ部材３４の形状を変動させるためのものである。具体的には、カム部材３６は、回転軸３５に対して外周部分が偏心した構成を有し、かかる構造のカム部材３６が回転することによって、軟性チューブ部材３４はカム部材３６の回転角度に応じた形状変動を生じることとなる。
【００４２】
駆動機構３７は、カム部材３６に対して回転トルクを供給するためのものである。具体的には、駆動機構３７は、例えばモータ等によって構成され、生成した回転トルクを、所定のギアまたはプーリー等の回転伝達機構を介してカム部材３６に供給する構造を有する。また、駆動機構３７は、後述するように制御部２１によって駆動状態が制御される構成を有する。
【００４３】
圧力検出部３８は、軟性チューブ部材３４の中空領域に存在する流体の圧力を検出するためのものである。より具体的には、軟性チューブ部材３４の中空領域のうち、吸引側開口部３２とカム部材３６によって形状が変動している部分との間、好ましくは吸引側開口部３２の近傍における流体の圧力を検出するためのものである。また、圧力検出部３８は、検出した圧力値を制御部２１に対して出力するよう構成されている。
【００４４】
次に、制御部２１について説明する。制御部２１は、被検体内情報取得部１７および無線部１８に対して所定の制御を行う機能を有する他、本実施の形態１では、圧力検出部３８の検出結果に基づいて、吸着機構１９の駆動状態、より具体的には吸着機構１９に備わる駆動機構３７の駆動状態を制御する機能を有する。
【００４５】
具体的には、制御部２１は、圧力検出部３８の検出結果が所定の範囲内に維持されるよう、駆動機構３７における回転トルクの供給状態を制御している。後述するように、吸着機構１９によるカプセル型内視鏡２の吸着力の大きさは、吸引側開口部３２を介した外部流体の吸引の程度に応じたものとなり、流体の吸引の程度は、吸引側開口部３２近傍における流体の圧力に応じたものとなる。このため、本実施の形態１では、制御部２１が圧力検出部３８の検出結果に応じて吸着機構１９の駆動状態を制御することとし、かかる制御によって、カプセル型内視鏡２の消化器官の内壁に対する吸着力の大きさを所望の範囲内に維持している。
【００４６】
次に、本実施の形態１にかかる被検体内導入システムにおいて、被検体１内に導入されたカプセル型内視鏡２の吸着動作について説明する。既に説明したように、従来のカプセル型内視鏡では、例えば食道を通過する際における移動速度が、被検体内情報の取得速度よりも大きく、充分な被検体内情報の取得が困難であるという問題を有していた。このため、本実施の形態１では、新たに吸着機構１９を設けることによって、所定の吸着力をもって通過経路の内壁に対してカプセル型内視鏡２を吸着せしめることとし、かかる吸着力の作用によってカプセル型内視鏡２の移動速度を低下させることとしている。
【００４７】
図５および図６は、吸着機構１９の吸着作用を説明するための模式図である。まず、図５に示すように、カム部材３６が回転軸３５を中心として反時計回りに回転する。かかる回転運動によって、カム部材３６の外周部分のうち、回転軸３５からの距離が所定値以上となる外周部分が軟性チューブ部材３４と接触する。かかる接触によってカム部材３６から軟性チューブ部材３４に対して押圧力が印加され、押圧力が印加された部分の形状が変化することによって、軟性チューブ部材３４の中空領域の一部に狭窄領域３９が生じる。
【００４８】
狭窄領域３９が形成された後もカム部材３６は回転を続け、カム部材３６の回転動作に応じて狭窄領域３９の形成される位置が、図６に示すように吸引側開口部３２の側から排出側開口部３３の側に移動する。カム部材３６が回転し続けることによってかかる狭窄領域３９の生成・移動が繰り返され、軟性チューブ部材３４は、いわば蠕動運動を行うようにその形状を変動させることとなる。
【００４９】
かかる軟性チューブ部材３４の形状の変動により、軟性チューブ部材３４の中空領域には吸引側開口部３２から排出側開口部３３へ向かう流体の流れが生じる。すなわち、中空領域では、狭窄領域３９の移動にともなって排出側開口部３３の側へ押し出される力を受けることとなり、中空領域に存在する流体は、吸引側開口部３２から排出側開口部３３へ向かう方向に移動する。かかる流体の移動に伴い、カプセル型内視鏡２の外部領域のうち、吸引側開口部３２近傍の領域には、カプセル型内視鏡２の内部に向かう方向に吸着力が生じることとなる。従って、カプセル型内視鏡２が通過する領域における被検体１の生体組織によって形成される通過経路の内壁は、吸引側開口部３２と密着し、内壁がカプセル型内視鏡２と密着した状態になることで、カプセル型内視鏡２の移動が阻害されることとなる。
【００５０】
次に、本実施の形態１にかかる被検体内導入システムの利点について説明する。まず、本実施の形態１にかかる被検体内導入システムは、カプセル型内視鏡２に吸着機構１９を備えることとしたため、吸着機構１９によって生じる吸着力によって、カプセル型内視鏡２と通過経路の内壁とが密着し、カプセル型内視鏡２の移動が阻害される。かかる吸着力の作用によってカプセル型内視鏡２の移動速度が低減されることから、本実施の形態１では、カプセル型内視鏡２の移動速度に関して、被検体内情報取得部１７が充分に被検体内情報を取得しうる速度にまで低減することが可能であるという利点を有する。
【００５１】
また、本実施の形態１にかかる被検体内導入システムは、圧力検出部３８の検出結果に基づいて制御部２１が吸着機構１９の駆動状態を制御することとしている。このため、軟性チューブ部材３４の中空領域のうち、吸引側開口部３２近傍領域における吸着機構１９の駆動によって生じる吸着力の強度を一定範囲内の値とすることが可能となる。このため、例えば吸着力の強度が強力すぎて被検体１内の体内組織に損傷を与えるといった弊害が生じることを防止することができる。
【００５２】
なお、本実施の形態１において、制御部２１による吸着力の制御範囲をあらかじめ適切な値に設定しておくことによって、カプセル型内視鏡２の移動速度を所望の値に制御することが可能である。すなわち、カプセル型内視鏡２の移動速度は、カプセル型内視鏡２の進行方向に与えられる重力等の推進力と、カプセル型内視鏡２が通過経路たる消化器官の内壁に対して及ぼす吸着力に応じて定まるカプセル型内視鏡２の外表面と消化器官の内壁との間に生じる摩擦力との大小関係に応じて定まる。このため、吸着力の強度範囲を適切に設定しておくことにより、カプセル型内視鏡２の移動速度を適切に調整することができる。
【００５３】
また、本実施の形態１では、カム部材３６の回転動作に伴う軟性チューブ部材３４の形状変動によって吸着機構１９の吸着動作を行う構成を有することから、カプセル型内視鏡２の内部において、吸着機構１９の占有領域を小さくすることが可能である。すなわち、カム部材３６が所定の回転軸３５を中心に回転運動する構成とすることによって、カム部材３６の動作のために余分に確保する領域を小さくすることが可能である。また、図５および図６に示すように、軟性チューブ部材３４は、吸着力を発生させる際には蠕動運動を生じるような形状変動を行うのみであって、カプセル型内視鏡２内部における占有領域の変化はさほど生じることがない。従って、本実施の形態１におけるカプセル型内視鏡２は、吸着機構１９の占有体積を小さくすることが可能であるという利点を有することとなる。
【００５４】
（変形例）
次に、本実施の形態１にかかる被検体内導入システムの変形例について説明する。本変形例では、吸着機構に備わる軟性チューブ部材に関して、吸引側開口部３２の近傍領域および排出側開口部３３の近傍領域に逆止弁を形成している。
【００５５】
図７は、本変形例における吸着機構４１の構成を示す模式図である。図７に示すように、本変形例では、吸着機構４１は、吸引側開口部３２の近傍に逆止弁４２が形成され、排出側開口部３３の近傍に逆止弁４３が形成された軟性チューブ部材４４と、軟性チューブ部材４４の形状を、所定の領域に狭窄領域が形成されるよう変動させる吸引動作発生部４５とを備える。
【００５６】
軟性チューブ部材４４に備わる逆止弁４２、４３は、それぞれ吸引側開口部３２から排出側開口部３３へ向かう方向（図７における右方向）に流れる流体を通過させ、排出側開口部３３から吸引側開口部３２へ向かう方向に流れる流体の通過を遮断する機能を有する。なお、逆止弁４２、４３が形成されている以外の軟性チューブ部材４４の形状、材質等は、実施の形態１における軟性チューブ部材３４と同様であり、逆止弁４２、４３の具体的な構造としては上記の機能を果たすものであれば任意の構造を採用することが可能である。
【００５７】
吸引動作発生部４５は、軟性チューブ部材４４の中空領域の所定の位置に狭窄領域を形成するためのものである。具体的には、吸引動作発生部４５は、ガイド部材４６によって移動方向が定められた押圧部材４７と、押圧部材４７に対して動力を供給する駆動機構４８とによって形成されている。押圧部材４７は、軟性チューブ部材４４に対して、ガイド部材４６によってあらかじめ定められた方向に押圧力の印加を行うよう機能する。例えば、図７の例の場合には、押圧部材４７は、軟性チューブ部材４４の長手方向と垂直方向に押圧力を印加するよう動作する。
【００５８】
図８および図９は、本変形例における吸着機構４１の吸着作用を説明するための模式図である。具体的には、吸着機構４１は、制御部２１による制御に基づいて駆動機構４８が駆動し、押圧部材４７は、駆動機構４８から供給された動力に基づいて軟性チューブ部材４４の一部領域に対して押圧力を印加する。軟性チューブ部材４４は、押圧力の印加によってその形状が変動し、具体的には図８に示す狭窄領域４９が形成される。
【００５９】
狭窄領域４９の形成に伴って、軟性チューブ部材４４の中空領域に存在する流体は、狭窄領域４９から離隔する方向に力を受ける。具体的には、図８の矢印に示すように、狭窄領域４９と吸引側開口部３２との間に存在する流体は、吸引側開口部３２に向かう方向に力を受け、狭窄領域４９と排出側開口部３３との間に存在する流体は、排出側開口部３３に向かう方向に力を受ける。
【００６０】
一方で、逆止弁４２、４３は、それぞれ吸引側開口部３２から排出側開口部３３へ向かう方向に流れる流体を通過させ、逆方向に流れる流体を遮断する機能を有する。従って、狭窄領域４９の形成に伴う流体の流れに対して、逆止弁４２は流体の通過を遮断し、逆止弁４３は流体を通過させるよう作用する。この結果、狭窄領域４９と排出側開口部３３との間に存在した流体はカプセル型内視鏡２の外部に排出され留一方、狭窄領域４９と吸引側開口部３２との間に存在した流体は元の場所に留まることとなる。
【００６１】
その後、図９に示すように、駆動機構４８は押圧部材４７を元の位置に戻すよう動力を供給し、軟性チューブ部材４４は、狭窄領域４９の存在しない元の形状に戻る。図８に示した動作において、狭窄領域４９と排出側開口部３３との間の流体は排出されていることから、狭窄領域４９の消滅によって、軟性チューブ部材４４の中空領域における流体の両は押圧力印加前に比べて減少し、カプセル型内視鏡２の外部に存在する流体が吸引側開口部３２を介して流入することとなる。かかる流入圧力の反作用として、カプセル型内視鏡２を通過経路の内壁に吸着させる吸着力が生じ、カプセル型内視鏡２は、通過経路の内壁に対して吸着することとなる。
【００６２】
このような吸着機構４１を備えることによって、実施の形態１と同様にカプセル型内視鏡２の移動速度を制御することが可能である。また、本変形例では、単純な機構によって吸着力が生ずる構成であるため、簡易かつ小型の吸着機構４１を実現することが可能である。
【００６３】
（実施の形態２）
次に、実施の形態２にかかる被検体内導入システムについて説明する。本実施の形態２にかかる被検体内導入システムは、外部装置からカプセル型内視鏡に対して所定の制御信号を含む無線信号を送信し、カプセル型内視鏡は、所定の受信機構を備え、受診機構によって受信した無線信号に含まれる制御信号に基づいて、吸着動作の制御を行う構成を有する。
【００６４】
図１０は、本実施の形態２にかかる被検体内導入システムに備わる外部装置５１の構成を示すブロック図であり、図１１は、被検体内導入システムに備わるカプセル型内視鏡５２の構成を示すブロック図である。なお、図示は省略したが、本実施の形態２にかかる被検体内導入システムは、実施の形態１と同様に外部装置３、表示装置４および携帯型記録媒体５を備えることとし、また、実施の形態１と同様の名称・符号が付された構成要素は、以下で特に言及しない限り実施の形態１と同様の構造・作用を有することとする。
【００６５】
図１０に示すように、外部装置５１は、新たに送信部５３を備え、送信部５３から所定の制御信号を含む無線信号を送信する機能を有する。具体的には、外部装置５１は、制御信号の生成機能を有する制御部５４と、無線信号の周波数を規定する発振器５５と、制御部５４によって生成された制御信号を発振器から出力された信号に重畳する重畳回路５６と、送信部５３を構成する送信回路５７および送信アンテナ５８とを備える。
【００６６】
制御部５４は、実施の形態１における制御部２１と同様にアンテナ選択制御を行う選択制御部５４ａと、複数の受信アンテナ６を介して受信された無線信号の受信強度に基づいてカプセル型内視鏡５２の位置を導出する位置導出部５４ｂと、位置導出部５４ｂによって導出されたカプセル型内視鏡５２の位置に基づいて制御信号を生成する制御信号生成部５４ｃとを備えている。
【００６７】
位置導出部５４ｂは、被検体１内部におけるカプセル型内視鏡５２の位置を導出するためのものである。実施の形態１でも説明したように、外部装置５１は、受信回路１０およびＡ／Ｄ変換部１４の作用により、受信アンテナ６ａ〜６ｈのそれぞれにおける無線信号の受信強度を導出する機構を有する。実施の形態１では、かかる受信強度を用いてアンテナ選択を行うのみであったが、本実施の形態２では、かかる受信強度の値に基づいてカプセル型内視鏡５２の位置を導出することとしている。すなわち、カプセル型内視鏡５２から送信される無線信号は、カプセル型内視鏡５２からの距離に応じて減衰する特性を有することから、受信アンテナにおける受信強度は、カプセル型内視鏡５２からの距離を反映したものとなる。
【００６８】
このため、位置導出部５４ｂは、あらかじめ受信アンテナ６ａ〜６ｈのそれぞれの被検体１上における位置を把握している一方、無線信号の受信強度に基づいて複数の、例えば３個の受信アンテナ６とカプセル型内視鏡５２との距離を導出する。そして、位置導出部５４ｂは、導出した距離と受信アンテナ６の位置とを用いて所定の演算処理を行うことによって、カプセル型内視鏡５２の位置を導出している。
【００６９】
制御信号生成部５４ｃは、カプセル型内視鏡５２に備わる吸着機構１９の動作を制御するための制御信号を生成する機能を有する。制御信号生成部５４ｃは、本実施の形態２では位置導出部５４ｂの導出結果に基づいて制御信号を生成することとし、カプセル型内視鏡５２の位置に応じて異なる制御信号を生成することとする。制御信号生成部５４ｃによって生成された制御信号は、送信部５３によって無線送信される。
【００７０】
次に、カプセル型内視鏡５２について説明する。図１１に示すように、カプセル型内視鏡５２は、外部装置５１に備わる送信部５３によって送信された無線信号を受信する受信部６１と、受信部６１によって受信された無線信号の中から制御信号を抽出する信号処理部６２と、所定の制御動作を行う制御部６５とを備える。受信部６１は、受信アンテナ６３と受信回路６４とによって構成される。
【００７１】
制御部６５は、実施の形態１における制御部２１の機能に加え、信号処理部６２から入力される制御信号の内容に応じた吸着機構１９の駆動制御を行う機能を有する。制御信号は、例えば吸着機構１９のオン・オフおよび維持すべき流体の圧力の範囲等に関する情報を含んでおり、制御部６５は、かかる情報を含む制御信号の内容に基づいた制御を行う機能を有する。
【００７２】
本実施の形態２にかかる被検体内導入システムの利点について説明する。本実施の形態２にかかる被検体内導入システムに備わるカプセル型内視鏡５２は、実施の形態１と同様に吸着機構１９を備えた構成を有することから、カプセル型内視鏡５２の移動速度を制御できる等、実施の形態１と同様の利点を享受することが可能である。
【００７３】
また、本実施の形態２では、制御信号生成部５４ｃを備え、吸着機構１９の動作を外部から制御できるという利点を有する。例えば、本実施の形態２では、制御信号生成部５４ｃは、位置導出部５４ｂの導出結果に基づいて制御信号を生成する機能を有するが、かかる構成とすることで、充分かつ効率的な被検体内情報の取得が可能な速度でカプセル型内視鏡５２を移動させることが可能となる。
【００７４】
すなわち、カプセル型内視鏡２は、常に一定の速度で移動する訳ではなく、例えば食道を通過する際には高速で移動する一方、小腸、大腸を通過する際には吸着機構の作用を利用することなく被検体内情報の取得が十分可能な程度の速度で移動している。このため、本実施の形態２では、カプセル型内視鏡５２の被検体１内における位置の導出結果に基づいて、例えば食道を通過している間は吸着機構１９が高い強度で吸着する旨の制御信号を生成し、小腸、大腸を通過している間は、吸着機構１９の駆動を停止する旨の制御信号を生成することが考えられる。このような制御信号に基づく制御を行うことによって、本実施の形態２にかかる被検体内導入システムは、被検体１の内部の位置に応じて吸着機構１９の駆動状態を適切に制御することが可能となり、例えば小腸における移動速度が極端に低下するといった弊害を防止し、効率の良い被検体内情報の取得を可能としている。
【００７５】
（実施の形態３）
次に、実施の形態３にかかる被検体内導入システムについて説明する。本実施の形態３では、実施の形態１、２で説明した吸着機構を応用して、被検体１の内部における位置を積極的に変化することが可能なカプセル型内視鏡を備えることとしている。
【００７６】
図１２は、本実施の形態３における被検体内導入システムを構成するカプセル型内視鏡６７に備わる変位機構６８〜７０の構成を示す模式図である。なお、図示は省略したが、本実施の形態３にかかる被検体内導入システムは、実施の形態１と同様に外部装置３、表示装置４および携帯型記録媒体５を備えることとし、また、カプセル型内視鏡６７の内部には、図３に示す構成のうち吸着機構１９および制御部２１を除く機構が備わるものとする。
【００７７】
図１２にも示すように、変位機構６８〜７０は、それぞれ互いに異なる方向、例えば互いに直交する方向に延伸する軟性チューブ部材７１〜７３と、軟性チューブ部材７１の形状を変動させる変位動作発生部７４〜７６とをそれぞれ備えた構成を有する。変位動作発生部７４〜７６は、制御部７７の制御に基づいて軟性チューブ部材７１の形状を変動させる機能を有する。
【００７８】
軟性チューブ部材７１〜７３は、例えば実施の形態１における軟性チューブ部材３４と同様の形状、材料によって構成される。すなわち、軟性チューブ部材７１〜７３は、それぞれに対応してカプセル型内視鏡６７の外表面上に形成された吸引側開口部および排出側開口部を連通するように形成されると共に、変位動作発生部７４〜７６によって与えられる押圧力によって、例えば蠕動動作を行うよう形状が変動する構成を有する。
【００７９】
変位動作発生部７４〜７６は、実施の形態１における吸引動作発生部２０と同様の構成を有する。すなわち、例えば所定回転軸を中心に回転動作を行うカム部材と、カム部材に対して、制御部７７の制御に従った大きさの回転トルクを供給する駆動機構とを備える。
【００８０】
本実施の形態３では、吸引側開口部のみならず、排出側開口部における流体の流れをも利用してカプセル型内視鏡６７の位置を変化させることとしている。すなわち、吸引側開口部を介して吸引された外部流体は、軟性チューブ部材の中空領域を経由して、排出側開口部を介して外部に排出される。かかる排出動作の際に、カプセル型内視鏡６７は、排出する流体から排出方向と反対方向の反作用力を受ける。従って、本実施の形態３では、吸引側開口部近傍に生じる吸着力に対応した力と、排出流体から受ける反作用力とを推進力として、カプセル型内視鏡６７の位置を変化させることとしている。
【００８１】
なお、軟性チューブ部材７１〜７３がカプセル型内視鏡６７の重心位置を通過する要は位置された場合には、カプセル型内視鏡６７は軟性チューブ部材７１〜７３の延伸方向と平行な方向に並進移動することとなる。カプセル型内視鏡６７の移動を可能とする観点からはかかる構成を採用することが好ましいが、一方で、軟性チューブ部材７１の配置位置を、カプセル型内視鏡６７の重心位置を通過しない領域とすることによってカプセル型内視鏡６７の指向方向を変化させることとしても良い。すなわち、軟性チューブ部材７１等の端部に対応する吸引側開口部または排出側開口部において、外部流体の移動方向と、開口部とカプセル型内視鏡６７の重心位置とを結ぶ方向とが非平行となる場合には、互いがなす角度に応じてカプセル型内視鏡６７は回転することとなる。かかる回転動作を行うよう軟性チューブ部材７１等の配置を工夫することによって、指向方向を制御しうるカプセル型内視鏡を実現することも可能である。
【図面の簡単な説明】
【００８２】
【図１】実施の形態１にかかる被検体内導入システムの全体構成を示す模式図である。
【図２】実施の形態１にかかる被検体内導入システムに備わる外部装置の構成を示すブロック図である。
【図３】実施の形態１にかかる被検体内導入システムに備わるカプセル型内視鏡の構成を示すブロック図である。
【図４】カプセル型内視鏡に備わる吸着機構の構造を示す模式図である。
【図５】吸着機構の動作を説明するための模式図である。
【図６】吸着機構の動作を説明するための模式図である。
【図７】実施の形態１の変形例にかかるカプセル型内視鏡に備わる吸着機構の構造を示す模式図である。
【図８】吸着機構の動作を説明するための模式図である。
【図９】吸着機構の動作を説明するための模式図である。
【図１０】実施の形態２にかかる被検体内導入システムに備わる外部装置の構成を示す模式図である。
【図１１】実施の形態２にかかる被検体内導入システムに備わるカプセル型内視鏡の構成を示す模式図である。
【図１２】実施の形態３にかかる被検体内導入システムに備わるカプセル型内視鏡の構成を示す模式図である。
【符号の説明】
【００８３】
１  被検体
２  カプセル型内視鏡
３  外部装置
４  表示装置
５  携帯型記録媒体
６ａ〜６ｈ  受信アンテナ
９  アンテナ選択部
１０  受信回路
１１  信号処理部
１２  制御部
１３  記憶部
１４  変換部
１５  電力供給部
１７  被検体内情報取得部
１８  無線部
１９  吸着機構
２１  制御部
２２  電力供給部
２４  ＬＥＤ
２５  ＬＥＤ駆動回路
２６  ＣＣＤ
２７  ＣＣＤ駆動回路
２８  送信回路
２９  送信アンテナ
３１  外装ケース部材
３２  吸引側開口部
３３  排出側開口部
３４  軟性チューブ部材
３５  回転軸
３６  カム部材
３７  駆動機構
３８  圧力検出部
３９  狭窄領域
４１  吸着機構
４２  逆止弁
４３  逆止弁
４４  軟性チューブ部材
４５  吸引動作発生部
４６  ガイド部材
４７  押圧部材
４８  駆動機構
４９  狭窄領域
５１  外部装置
５２  カプセル型内視鏡
５３  送信部
５４  制御部
５４ａ  選択制御部
５４ｂ  位置導出部
５４ｃ  制御信号生成部
５５  発振器
５６  重畳回路
５７  送信回路
５８  送信アンテナ
６１  受信部
６２  信号処理部
６３  受信アンテナ
６４  受信回路
６５  制御部
６７  カプセル型内視鏡
６８〜７０  変位機構
７１〜７３  軟性チューブ部材
７４〜７６  変位動作発生部
７７  制御部
【図１】
2006026205.tif 000003
【図２】
2006026205.tif 000004
【図３】
2006026205.tif 000005
【図４】
2006026205.tif 000006
【図５】
2006026205.tif 000007
【図６】
2006026205.tif 000008
【図７】
2006026205.tif 000009
【図８】
2006026205.tif 000010
【図９】
2006026205.tif 000011
【図１０】
2006026205.tif 000012
【図１１】
2006026205.tif 000013
【図１２】
2006026205.tif 000014